Podtech/llm-jp-corpus-v4-ja_patent huggingface dataset:
(57)【要約】【課題】従来、自動二輪車の交通事故の衝突転倒時に、運転者が投げ出されることが多々あり重傷、死亡事故に繋がる例が多くあったので、少しでも、運転者の死亡事故が少なくなり、傷害が軽く済む方法は無いものかと、解決の課題とした。【解決手段】その結果、自動二輪車に運転者用の安全ベルトを装着することで、課題の解決の手段とした。【選択図】  図１
2007076625.tif 000002
【特許請求の範囲】
【請求項１】
自動二輪車に安全ベルトを装着した、安全ベルト付き自動二輪車。
【請求項２】
自動二輪車に装着する安全ベルトを着脱自在にした、請求項１の安全ベルト付き自動二輪車。
【請求項３】
自動二輪車に安全ベルトを装着出来るように、バックル、アングル等の部品を装着した、請求項１の安全ベルト付き自動二輪車。
【発明の詳細な説明】
【技術分野】
【０００１】本発明は、自動二輪車に安全ベルトを装着した事に関するもである。
【背景技術】
【０００２】従来、自動二輪車、普通バイク、スクーターには、運転者の為の安全ベルトは装着されていなかった。二輪車の走行中に衝突事故など起こし場合、運転者が衝突転倒して自動二輪車から、不用意に投げ出され、骨折等の重傷、死亡事故が多々起こっている。本発明の、自動二輪車の安全ベルトを装着することにより、事故時に、運転者が二輪車から投げ出されることが軽減無くなり、ハンドルから手が離れる事も無く、最小限の身の安全が確保できる。現在、使用中の、安全ベルトが装着されていない自動二輪車には、単独の安全ベルトが装着出来る如く自動二輪車に、バックルやアングル、等の装着に必要な部品を取り付ける。このようにすることで、従来の自動二輪車、これから販売される自動二輪車を問わず全車両に、安全ベルトが装着できる。
【発明の開示】
【発明の効果】
【０００３】このように、自動二輪車に、安全ベルトを装着することで、一般道路での交通事故、高速道路やサーキット等、高速での運転時の事故には、安全ベルトで身の危険から救われる事が、多々在るものと確信するものであり、其の効果は、計り知れない大きいものがある。
【発明が解決しょうとする課題】
従来、自動二輪車の交通事故の衝突転倒時に、運転者が投げ出されることが多々あり重傷、死亡事故に繋がる例が多くあったので、少しでも、運転者の死亡事故が少なくなり、傷害が軽く済む方法は無いものかと、解決の課題とした。
【課題を解決するための手段】
その結果、自動二輪車に運転者用の安全ベルトを装着することで、課題の解決の手段とした。
【発明を実施するための最良の形態】
【０００４】本発明は、自動二輪車の安全ベルトに関るもので、図１の安全ベルト１は、運転者の前側に左右１本づつ設け、先端にダンク金具５、６を夫々取付、安全ベルトを装着する時は、バックル３、４に差込、ベルトを装着する。ベルトの長さの調整は金具１４、１５で調整する、背後のベルト２は、左右のベルトを図２の如く交差して、先端部にダンク９、１０金具を取付バックル７、８に差込ベルトを装着する。太もも用ベルト１３の先端部に、ダンク金具１２を取付、バックル１１に差込、夫々のベルトの先端１９．２０、２１．１６、１７、１８は自動二輪車の車体に固定するものとする。このようにした安全ベルトを運転者が装着して運転すると、交通事故時に、運転者の身を守ることができる。
【産業上の利用可能性】本発明の自動二輪車の安全ベルトを全ての二輪車に装着すると、今まで安全ベルトを装着した二輪車は皆無であるので、その需要は計り知れないものがあり、産業上利用価値は大なり。また、交通事故時の死亡事故の軽減にも役立ち、産業経済的にも貢献するものである。、
【図面の簡単な説明】
【０００５】
【図１】  安全ベルト全体図である。
【図２】  安全ベルト装着時の後側である。
【図３】  安全ベルト装着時の前側である。
【符号の説明】
【０００６】  １は安全ベルト前側                  １３、はベルト太もも用
２は安全ベルト後側
３、４、７、８、１１はバックル
５、６、９、１０、１２はダンク金具
【図１】
2007076625.tif 000003
【図２】
2007076625.tif 000004
【図３】
2007076625.tif 000005
【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
自動二輪車に於ける、自於動二輪車の運転者用安全ベルトであって、運転者用の安全ベルトを装着した、安全ベルト付き自動二輪車。
【請求項２】
自動二輪車に運転者用の安全ベルトを着脱自在にした、自動二輪車の運転者用の安全ベルトであって、請求項１の安全ベルト付き自動二輪車。
【請求項３】
自動二輪車に安全ベルトを装着脱出来るように、車体の一部に、専用のバックル、アングル等の部品を装着固定した、請求項１の安全ベルト付き自動二輪車。
【請求項４】
自動二輪車のタンデムシートに、添乗者の身体を固定する如くした、添乗者固定用の安全ベルトを装着した、請求項１の安全ベルト付き自動二輪車。
2007076625.tif 000006
2007076625.tif 000007
2007076625.tif 000008
2007076625.tif 000009
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
自動二輪車に於いて、図２、図３の如く、自動二輪車の運転者固定用の安全ベルトに関するもので、自動二輪車専用の運転者固定用の安全ベルト。
【請求項２】
自動二輪車の運転者固定用の安全ベルト図１の１、２は、上半身、１３は下半身が固定され、装着脱出来るようにした、請求項１の自動二輪車専用の運転者固定用の安全ベルト。
【請求項３】
自動二輪車の運転者固定用の安全ベルトを、装着脱出来るように、車体の一部に、取付専用のバックル、アングル等の部品を装着固定した、請求項１の自動二輪車専用の運転者固定用の安全ベルト。
【請求項４】
自動二輪車のタンデムシートに、添乗者の身体を固定するようにした、図１の２６は添乗者の下半身固定用安全ベルトであって、自動二輪車専用の添乗者固定用の安全ベルト。
(57)【要約】      （修正有）【課題】後続車の発するライトの光だけが頼りのため、リアガラスに取り付けた、反射型案内標識は見えにくいという不都合を解決すること。【解決手段】イ）自動車のリアガラス（１）につける吸盤Ａ（２）と吸盤Ｂ（３）に、支柱（４）を設け、支柱に回転モーター（５）のついた、文字円板（６）を設ける。ロ）文字円板の次に、回転モーターの回転軸（７）で動く、回転円盤（８）を設け、更に回転軸の先に、反射用カサ（９）のついた、点滅出来るスポットライト（１０）を取り付ける。ハ）文字円板の両側には、高輝度反射材で右用矢印方向マーク（１１）と左用矢印方向マーク（１２）を設け、下部には感謝マーク（１３）を設ける。ニ）回転円盤の上部には、一部を切り欠いた窓（１４）を設け、その逆方向には高輝度反射材で、絵柄標識（１５）を設ける。ホ）回転モーターには、左右に回転するタイマー付操作スイッチ（１６）を設ける。【選択図】  図１
2007076630.tif 000002
【特許請求の範囲】
【請求項１】
イ）自動車のリアガラス（１）につける吸盤Ａ（２）と吸盤Ｂ（３）に、支柱（４）を設け、支柱（４）に回転モーター（５）のついた、文字円板（６）を設ける。
ロ）文字円板（６）の次に、回転モーター（５）の回転軸（７）で動く、回転円盤（８）を設け、更に回転軸（７）の先に、反射用カサ（９）のついた、点滅出来るスポットライト（１０）を取り付ける。
ハ）文字円板（６）の両側には、高輝度反射材で右用矢印方向マーク（１１）と左用矢印方向マーク（１２）を設け、下部には感謝マーク（１３）を設ける。
ニ）回転円盤（７）の上部には、一部を切り欠いた窓（１４）を設け、その逆方向には高輝度反射材で、絵柄標識（１５）を設ける。
ホ）回転モーター（５）には、左右に回転するタイマー付操作スイッチ（１６）を設ける。
以上のごとく構成された、後続車に対応するスポットライト付反射型案内標識に関するものである。
【発明の詳細な説明】
【技術分野】
【０００１】  本発明は、反射型案内標識に関するものであり、スポットライトを利用し、案内標識に工夫を加えることによって、後続車に昼夜を問わず、反射発光して視認性を高め、左右折等の方向変更に関する標示や、運転者の状態を感謝標示や絵柄標示で行うようにしたものである。
【背景技術】
【０００２】  従来、後続車のライトを頼り、そのライトの光で反射発光して、視認する方法である。
【発明の開示】
【発明が解決しようとする課題】
【０００３】  後続車の発するライトの光だけが頼りのため、ライトの光が弱かったり、無い場合には、反射発光の効果が無く、見落とすことが多い。
又、前の走行車両の方向変更に気づくのが遅くなると、後続車は事故等の危険性が多くなる。
更に道路の車線変更や合流等は、後続車への配慮がないと、割り込み出来ず、非常に危険性が高くなる。
本発明は、このような前を走る走行車輛と、後続車輛の関係を重視し、左右変更等を事前に、より確実に後続車輛に視認させることを課題とする。
【課題を解決しようとする手段】
【０００４】  以下、本発明の課題を解決するための手段を説明する。
この課題を解決するための〔請求項１〕の発明は、運転者の条件、状態を告知するため、初心運転者、高齢運転者、障害者、女性、妊婦、子供や赤ちゃん同乗等の絵柄標識を標示する。
更に左右の進路変更による車線変更や合流が難しい場合には、左右の矢印方向マークを標示し、スポットライトの照明を点滅操作し、後続車に強くアピールする。
後続車が気づき、譲ってくれた後、譲ってくれた相手、後続車に配慮して、感謝マークを標示し、スポットライトの照明を点滅操作する。
御礼、会釈、思いやりの挨拶の意味である。
以上のように、後続車への配慮を標示出来ることを特徴とする、後続車に対応するスポットライト付反射型案内標識である。
【発明の効果】
【０００５】  この発明の効果を説明する。
本発明によって、後続車は、前の走行車の視認が高まり、運転者の条件や状態を情報として認知して、左右への進路変更を余裕をもって、事前に知り、対応出来る。
更に感謝マークのような思いやりの挨拶、標示を受け、譲り合い精神と相手を思いやる安全運転の心が育つ。
【発明を実施するための最良の形態】
【０００６】  図１は、自動車のリアガラスに取り付けた点滅出来るスポットライトを設けたことを特徴とする反射型案内標識の断面図である。
図面に示すように、リアガラスを透し、後続車の視認を高めることが出来る。【０００７】  図２は、固定された文字円板と、それと重なる回転円盤が、左右に回転することを特徴とする、反射型案内標識の文字円板と回転円盤の平面図である。
図面に示すように、文字円板には左右の矢印方向マークが両側にあり、下部には感謝マークがある。
文字円板と重なる回転円盤には窓があり、回転円盤の１／４回転によって、窓の中に左、右の矢印方向マークが表われ、更に１／４回転すると、感謝マークが表れる。
操作スイッチにはタイマーがあり、感謝マークが標示された後、タイマーによって、元の位置に戻る。
回転円盤の回転方向、停止位置、停止時間は、タイマー付操作スイッチと回転モーターにプログラムを組んで自動化する。【０００８】  感謝マークは、感謝、ありがとう、Ｔｈａｎｋ  ｙｏｕ等の文字でも、絵柄でもよい。
またスポットライトは反射型案内標識の反射輝度を増すため、高輝度反射材に適する光源で、視認性が高まるものであればよい。
又、点滅しても点滅しなくともよい。
更に、反射型案内標識の絵柄標示マーク、感謝マーク、矢印方向マークが発光ダイオードを使用してもよい。
又、更に、文字円板、回転円盤は円形でなくてもよいし、支柱を支える吸盤は２ヶに限らず、何個でもよいし、吸盤でなく、接着板でもよい。
【産業上の利用可能性】
【０００９】  本発明に係る反射型案内標識は、工業的に量産することが可能であるため、産業上の利用可能を有する。
【図面の簡単な説明】
【００１０】
【図１】  本発明の断面図である。
【図２】  本発明の文字円板と回転円盤の平面図である。
【符号の説明】
【００１１】（１）リアガラス（２）吸盤Ａ（３）吸盤Ｂ（４）支柱
（５）回転モーター（６）文字円板（７）回転軸（８）文字円盤
（９）反射用カサ（１０）スポットライト
（１１）右用矢印方向マーク（１２）左用矢印方向マーク
（１３）感謝マーク（１４）窓
（１５）絵柄標識（１６）タイマー付操作スイッチ
【図１】
2007076630.tif 000003
【図２】
2007076630.tif 000004
(57)【要約】【課題】  練混ぜ済みモルタルであっても、適用時間に応じて、練混ぜ後の流動性を保つことができるよう調整でき、練混ぜから適用時間経過後においても、使用前に、特殊な薬剤を添加し、良く練り返すことにより、通常のモルタル及びコンクリートと同様に打ち込みのできる練混ぜ済みモルタルの流動性保持方法並びに凝結調整方法を開発・提供することにある。【解決手段】  練混ぜ済みモルタルにおいて、リグニンスルホン酸系ＡＥ減水剤標準形を適量混和することにより流動性を保持することを特徴とする練混ぜ済みモルタルの流動性保持方法と、練混ぜ済みモルタルにおいて、使用時に無機系凝結促進剤を用い、該凝結促進剤の添加量を、練混ぜからの経過時間の違いにより、適宜添加することにより凝結を調整することを特徴とする練混ぜ済みモルタルの凝結調整方法である。【選択図】  なし【特許請求の範囲】
【請求項１】
練混ぜ済みモルタルにおいて、リグニンスルホン酸系ＡＥ減水剤標準形を適量混和することにより流動性を保持することを特徴とする練混ぜ済みモルタルの流動性保持方法。
【請求項２】
練混ぜ済みモルタルにおいて、使用時に無機系凝結促進剤を用い、該凝結促進剤の添加量を、練混ぜからの経過時間の違いにより、適宜添加することにより凝結を調整することを特徴とする練混ぜ済みモルタルの凝結調整方法。
【発明の詳細な説明】
【技術分野】
【０００１】
この発明は、練混ぜ済みモルタルの流動性保持方法並びに凝結調整方法に関するものである。
【背景技術】
【０００２】
従来、モルタルは、セメント（結合材）、細骨材、水を、その使用前に練混ぜて用いられるのが一般的であるが、２〜３時間程度経過すると流動性が低下し、使用できなくなるという欠点があった。
【０００３】
そして、生モルタルと呼ばれている、練混ぜ済みモルタルは、予め、セメント（結合材）、細骨材、水、そしてＡＥ減水剤標準形をミキサにて練り混ぜ、後に凝結促進剤を添加し、よく練り返すことにより、通常のモルタルと同様に使用されている。
【０００４】
そのため、生モルタルを使用する時間によって、その凝結・硬化を遅延するようコントロールすることは、遅延剤を用いることが文献に掲載されている。例えば、非特許文献１のように。
【非特許文献１】セメント・コンクリート  No.688.Jun.2004 第６０頁
【０００５】
そして、一方、生モルタルの凝結を促進するため、凝結促進剤を使用し、この凝結促進剤として塩化カルシウムが使用され、低温時でもセメントの水和を著しく促進し、経済的にも有利なことから使用されていたが、塩化物イオンが鉄筋の発錆を促進し、鉄筋コンクリート構造物の劣化を早めるため、無塩化タイプの促進剤が使用されている。
【０００６】
さらに、この凝結遅延剤としては、有機系では、リグニンスルホン酸があり、減水作用を併せもっている。例えば、非特許文献２のように。
【０００７】
【非特許文献２】セメント・コンクリート  No.688.Jun.2004 第６１頁
【発明の開示】
【発明が解決しようとする課題】
【０００８】
そこで、この発明は、練混ぜ済みモルタルであっても、適用時間に応じて、練混ぜ後の流動性を保つことができるよう調整でき、練混ぜから適用時間経過後においても、使用前に、特殊な薬剤を添加し、良く練り返すことにより、通常のモルタル及びコンクリートと同様に打ち込みのできる練混ぜ済みモルタルの流動性保持方法並びに凝結調整方法を開発・提供することにある。
【課題を解決するための手段】
【０００９】
そして、この発明は、練混ぜ済みモルタルにおいて、ＡＥ減水剤標準形（リグニンスルホン酸系）を適量混和することにより流動性を保持することができ、また、練混ぜ済みモルタルにおいて、使用時に無機系凝結促進剤を用い、該凝結促進剤の添加量を、練混ぜからの経過時間の違いに応じた適宜な量を添加することにより凝結を調整することを特徴とする練混ぜ済みモルタルの凝結調整方法を開発・提供することにある。
【発明の効果】
【００１０】
この発明によると、混和剤の使用量を調整することにより、練混ぜ後の流動性を１２時間以上保持できることにより、生モルタルの輸送の長距離化や生モルタル工場の計画的な操業やコストの低減等が図れる等の極めて有益なる効果を奏する。
そして、練混ぜ１時間後からは、使用前に凝結促進剤を添加し、よく練り返すことにより、通常のモルタルと同様に打ち込みができ、工期の短縮が図れる等極めて有益なる効果を奏する。
【発明を実施するための最良の形態】
【００１１】
以下、この発明の最良の形態について説明すると、練混ぜ済みモルタルにおいて、リグニンスルホン酸系ＡＥ減水剤標準形を適量混和することにより流動性を保持することを特徴とする練混ぜ済みモルタルの流動性保持方法と、練混ぜ済みモルタルにおいて、使用時に無機系凝結促進剤を用い、該凝結促進剤の添加量を、練混ぜからの経過時間の違いにより、適宜添加することにより凝結を調整することを特徴とする練混ぜ済みモルタルの凝結調整方法である。
【実施例】
【００１２】
以下、この発明の第一の一実施例を詳述すると、練混ぜ済みモルタルにおいて、リグニンスルホン酸系ＡＥ減水剤標準形を適量混和することにより流動性を保持することを特徴とする練混ぜ済みモルタルの流動性保持方法から構成されるものである。
【００１３】
次に、使用セメントは、ポルトランドセメントに限定した場合であるが、ＡＥ減水剤標準形の混和量と、適用時間、凝結促進剤の添加量との関係を表１に示す。
【００１４】
【表１】
2007076976.tif 000002
【００１５】
次に、この発明の第二の一実施例を詳述すると、練混ぜ済みモルタルにおいて、使用時に、硝酸塩、亜硝酸塩、チオ硫酸塩、チオシアン酸塩等の無機系凝結促進剤を用い、該凝結促進剤の添加量を、練混ぜからの経過時間の違いにより、適宜添加することにより凝結を調整することを特徴とする練混ぜ済みモルタルの凝結調整方法から構成される。
そして、凝結促進剤の添加量は、上記表１に示すとおりである。
【産業上の利用可能性】
【００１６】
この発明の練混ぜ済みモルタルの流動性保持方法並びに練混ぜ済みモルタルの凝結調整方法の技術を確立し、施工・実施することにより、産業上の利用可能性を有する。
(57)【要約】【課題】２個の吸盤のフック部に平板を挿入する穴を持ったトラック形状の平板リングに樹脂袋をかけ、丸棒リングで樹脂袋を押えるゴミ袋を提供する。【解決手段】２個の吸盤のフック部に楕円状の平板リングを取り付け、そのリングに内側から樹脂系の袋を外側に巻き込み平板リングの上部の数箇所に三角形状の上向きの爪に引っ掛け、両端部が特殊形状にした丸棒リングで樹脂系のゴミ袋を押え、ゴミ袋の脱落を防ぐことを特徴とする。【選択図】  図１
2007076915.tif 000002
【特許請求の範囲】
【請求項１】
２個の吸盤のフック部に平板が入る挿入口を設け、平板リングをトラック形状に折り曲げ、該その平板リングの上部に先端が尖った数箇所の三角形状の爪を設ける。平板リングの内側から樹脂の袋を挿入し外側に平板リングを巻き込んで平板リングの下部の数箇所の三角状の上向きに尖った爪に引っ掛け、その樹脂袋を両先端部が特殊形状の丸棒リングで袋を挟み込んでホルダー部に固定することを特徴とするゴミ袋用ゴミリング。
【請求項２】
２個の吸盤を利用し、吸盤本来の特性を利用して何処にでも取り付け可能であり、取外しも簡単、設置も容易で、スタンド台にも取り付け持ち運びも自由な請求項１記載のゴミ袋用ゴミリング。
【請求項３】
使用時は平板リングをたおし、樹脂袋を吊るし、不使用時は平板リングを上にあげて、たためて固定出来る請求項１〜２のゴミ袋用ゴミリング。
【発明の詳細な説明】
【技術分野】
【０００１】  本発明は、屋内外で設置されている樹脂系のゴミ袋入れを容易に設置できるゴミ袋のゴミ設置具に関する。
【背景技術】
【０００２】  屋内外等で設置されている金属製で金網が張ってあるゴミ入れ等が多く使用されている。簡単な組立式で紙屑、枯葉等のゴミ入れのゴミ箱が近年いろいろ知られている。例えば、特開２００３−２９２１０２号公報、特開２００１−１６３４０１号公報などがある。
【発明の開示】
【発明が解決する課題】
【０００３】  それには次のような問題点があった。
（イ）フック付き吸盤を利用したゴミ入れ具は無い。
（ロ）吸盤が取り付け可能なら何処にでも取り付けられるゴミ入れはない。
（ハ）軽量で持ち運び可能で，簡単設置できるものは少ない。
（ニ）不使用時は垂直に立てかけて、邪魔にならない構造のものはない。
（ホ）室内外で利用できるゴミ入れは少ない。
本発明は、以上の問題点を解決するためのものである。
【課題が解決するための手段】
【０００４】  ２個のフック付き吸盤（１）を設ける。その吸盤のフック部に平板リング（２）を挿入する穴を設け、平板リング（２）の上部にゴミ袋を引っ掛ける数箇所の先端が三角状に尖った爪（３）を設ける，樹脂系のゴミ袋（５）を平板リング（２）の内側から外側に巻き込んで、先端が三角状に尖った上部の爪（３）に引っ掛ける、さらに両端部が特殊形状に加工された丸棒リング（４）をフック部に垂直に設置されており、その丸棒リング（４）を下ろし平板リング（２）と平板リングに巻きこんだ樹脂系のゴミ袋（５）の回りをホールドし、平板リング（２）と樹脂系のゴミ袋（５）と丸棒リング（４）を外れないように板を曲げたＵ字形（８）ホルダー部に固定する。２個の吸盤の設置可能な場所を選び又は、デコボコな所では（９）両面テープ付プレートを付けた上で設置し、樹脂系のゴミ袋（５）は、その底が地面又は床等につくように設置する。又図６のように屋外ではスタンドを設けても良い。吸盤をはずす時は、吸盤の凸部（７）をつまんではずす。
【発明の効果】
【０００５】  本発明の、ゴミ入れは屋内外で設置可能であり、不使用時は、垂直に立てることができ、邪魔にならず、容易に設置でき、移動も簡単で、スタンド台を使用すれば設置場所を選ばず設置することができ、回収も容易に出来る効果がある。
【発明を実施するための最良の形態】
【０００６】  以下、本発明の実施の形態を説明する。
（イ）図１のようなフック付きの吸盤２個を設ける。
（ロ）平板の上部に三角形状の突起（爪）を数個所設ける。
（ハ）平板を図２のようにトラック形状のリングにし、２個のフック付き吸盤のフック部に設けた平板挿入部に挿入し、両端を接合するかボルト又はリベットで数箇所を止める。
（ニ）丸棒の両端が図４の形状のリングを設ける。
（ホ）上記の丸棒のリングを吸盤のフック部の凹部に取り付ける。
（ヘ）丸棒のリングを垂直に立てる。
（ト）トラック形状の平板のリングに樹脂系のゴミ袋を掛け吊るす。
（チ）ゴミ袋が平板の突起（爪）にひっかかり、袋が外れない。
（リ）ゴミ袋の上に丸棒のリングが下りてきてゴミ袋に被せ、ゴミ袋をホルダー部に固定する。
本発明は、以上の構成よりなっている。
【図面の簡単な説明】
【０００７】
【図１】本発明の斜視図
【図２】本発明の丸棒リングを上げた斜視図
【図３】本発明の壁取付のゴミ袋ゴミリングの正面図
【図４】本発明の壁取付のゴミ袋ゴミリングの平面図
【図５】本発明の壁取付のゴミ袋ゴミリングの左側面図
【図６】本発明のスタンド付き正面図
【図７】本発明のスタンド付き平面図
【図８】本発明のスタンド付き左側面図
【図９】本発明の使用しないときのゴミ袋ゴミリングの状態図
【図１０】本発明のフック付き吸盤の拡大図
【図１１】本発明の両面テープの付いた透明なプレート
【符号の説明】
【０００８】    １  フック付き吸盤
２  平板のトラック形状のリング
３  三角形状の突起（爪）
４  丸棒のリング
５  ゴミ袋
６  スタンド台
７  吸盤の凸部
８  ホルダー部
９  両面テープ付プレート
【図１】
2007076915.tif 000003
【図２】
2007076915.tif 000004
【図３】
2007076915.tif 000005
【図４】
2007076915.tif 000006
【図５】
2007076915.tif 000007
【図６】
2007076915.tif 000008
【図７】
2007076915.tif 000009
【図８】
2007076915.tif 000010
【図９】
2007076915.tif 000011
【図１０】
2007076915.tif 000012
【図１１】
2007076915.tif 000013
(57)【要約】【課題】  本発明は、ゴミ袋の口を閉塞するためのゴミ袋口閉塞金具である。通常はゴミ袋口の両端を手で摘んで形成した摘まみの両端を掻き結ぶか、ゴミ袋口を捻って紐状として捻り結びにしてゴミ袋口を閉塞するが、ゴミ袋内部の臭気が漏れたり、ゴミ袋の容積部分を紐状とした捻り結びの部分に取られて、ゴミ袋の内容積が減少するという問題があるために、ゴミ袋の内容積の減少がなく確実にゴミ袋口を閉塞することが出来るゴミ袋口閉塞金具を提供する。【解決手段】  ゴミ袋口金具４がゴミ袋口９を閉塞する締付紐１を有し、ゴミ袋口金具４で締付紐１を締付けることにより、ゴミ袋口９を締付け、ゴミ袋口金具４を水平面上で反転させることにより、ゴミ袋口金具４の垂直方向の回転をゴミ袋８で止め、締付紐１の締付力と締付部材３の塑性力によりゴミ袋口９を締付けて閉塞する。【選択図】  図５
2007076914.tif 000002
【特許請求の範囲】
【請求項１】
ゴミ袋口金具にゴミ袋口を閉塞する締付紐を取り付け、ゴミ袋口金具を垂直面上で回転し締付紐を締付けることによって、締付紐でゴミ袋口を締付け、ゴミ袋口金具を水平面上で反転させることにより、ゴミ袋口金具の垂直方向の回転をゴミ袋で止め、締付紐の締付力と締付部材の塑性力によりゴミ袋口を締付けて閉塞するゴミ袋口閉塞金具。
【請求項２】
ゴミ袋口金具にゴミ袋挿入部とゴミ袋導入部を有し、締付紐にゴミ袋を引き込むことが出来る請求項１記載のゴミ袋口閉塞金具。
【発明の詳細な説明】
【技術分野】
【０００１】  本発明は、ゴミ袋のゴミ袋口を閉塞するためのゴミ袋口閉塞金具である。
【背景技術】
【０００２】  従来、ゴミ袋口の閉塞は、ごみ袋口の両端を手で摘んで形成した摘みの両端を掻き結び、又はゴミ袋口を捻って紐状として捻り結びにしてゴミ袋口を閉塞していた。
【発明の開示】
【発明が解決しようとする課題】
【０００３】  従来、ゴミ袋のゴミ袋口を閉塞するため、ゴミ袋口の両端を手で摘んで形成した摘みの両端を掻き結んだ場合、ゴミ袋の内部の臭いが外部に漏れ、又ゴミ袋口を捻って紐状として捻り結びにしてゴミ袋口を閉塞した場合には、ゴミ袋の容積部分を紐状とした捻り結び部分に取られるため、ゴミ袋の内容積が減少するという問題点がった。本発明はこの課題を解消するためになされたものである。
【課題を解決するための手段】
【０００４】  ゴミ袋口金具４がゴミ袋口９を閉塞する締付紐１を有し、ゴミ袋口金具４を垂直面上で回転し締付紐１を締付けることにより、ゴミ袋８のゴミ袋口９を締付け、ゴミ袋口金具４を水平面上で反転させることにより、ゴミ袋口金具４の垂直方向の回転をゴミ袋８で止め、締付紐１の締付力と締付部材３の塑性力によりゴミ袋口９を締付けて閉塞する。本発明は、以上の構成からなるゴミ袋口閉塞金具である。
【発明の効果】
【０００５】  このようにすれば、ゴミ袋は僅かな寸法で締付紐により確実に閉塞され、ゴミ袋内部の臭気も遮断される。
【発明を実施するための最良の形態】
【０００６】以下、本発明の実施の形態について説明する。
（イ）ゴミ袋挿入部６とゴミ袋導入部７を有するゴミ袋口金具４の締付部材３に締付紐１を設ける。
（ロ）締付部材３の締付紐挿入穴５に締付紐１を挿入し、締付紐１の両端の締付紐結束部２を設け、結束固定する。
本発明は以上の構成よりなる。
本発明を使用する場合は、ゴミ袋挿入部６にゴミ袋を挿入し、ゴミ袋導入部７方向へゴミ袋８をスライドさせて締付紐１にゴミ袋を引き込み、ゴミ袋口金具４を垂直面上で回転し締付紐１を締付けることによって、締付紐１でゴミ袋口９を締付け、ゴミ袋口金具４を水平面上で反転させることにより、ゴミ袋口金具４の垂直方向の回転をゴミ袋８で止め、締付紐１の締付力と締付部材３の塑性力によりゴミ袋口９を締付ける。
【図面の簡単な説明】
【０００７】
【図１】本発明のゴミ袋口閉塞金具。
【図２】ゴミ袋口閉塞金具のゴミ袋挿入部にゴミ袋を挿入した状況の斜視図。
【図３】ゴミ袋口閉塞金具の締付紐にゴミ袋を移行した状況の斜視図
【図４】ゴミ袋口閉塞金具の締付紐を締付けた状況の斜視図
【図５】ゴミ袋口閉塞金具でゴミ袋の口を閉塞した状態の斜視図。
【符号の説明】
【０００８】１  締付紐
２  締付紐結束部
３  締付部材
４  ゴミ袋口金具
５  締付紐挿入穴
６  ゴミ袋挿入部
７  ゴミ袋導入部
８  ゴミ袋
９  ゴミ袋口
【図１】
2007076914.tif 000003
【図２】
2007076914.tif 000004
【図３】
2007076914.tif 000005
【図４】
2007076914.tif 000006
【図５】
2007076914.tif 000007
(57)【要約】      （修正有）【課題】磁石に直接展示用の書類が接しないので、常に一定の磁力を保ち、ボードに固定されているので、厚みのある物も展示でき、また磁力を通さない物も展示できる展示道具を提供する。【解決手段】三方向に出っ張りのある薄板の中央に、磁石の大きさに合わせた穴を開け磁石と固定し、薄板をボードに圧着し、薄板とボードの間に書類を挟んで書類等をボードに展示する道具。【選択図】図１
2007076350.tif 000002
【特許請求の範囲】
【請求項１】
三方向に出っ張りのある薄板の中央に磁石の大きさに合わせた穴を開け磁石と固定し、薄板をボードに圧着し、薄板とボードの間に書類を挟んで書類等をボードに展示する道具である。
【発明の詳細な説明】
【技術分野】
【０００１】  本発明は磁石を応用し１個の道具で３種類の書類を展示する道具に関するものである。
【背景技術】
【０００２】  従来、磁石を直接書類の上からボードに圧着して書類を展示するが、クリップ等に磁石を付け書類等を挟んだクリップを磁力でボードに圧着して展示している。
【発明が解決しようとする課題】
【０００３】  そのために、次のような問題点があった。
磁石で直接書類等をボードに圧着する場合厚みのある書類等は磁力を通し難く、ボードに展示しにくく、また磁力を通さないものは、展示できない、またクリップを応用した物は展示の都度ボードからクリップをはずして書類等を挟んでから展示しなければならない、また１個で数種の展示は不可能である。
【課題を解決するための手段】
【０００４】  三方向に出っ張りのある薄板の中央に、磁石の大きさに合わせた穴を開け磁石と固定し、薄板をボードに圧着し、薄板とボードの間に書類を挟んで書類等をボードに展示する道具である。
【発明の効果】
【０００５】  磁石に直接展示用の書類が接しないので、常に一定の磁力を保ちボードに固定されているので厚みのある物も展示できる、また磁力を通さない物も展示できる、しかもこの道具は取り外す必要なく、薄板に書類を差し込むことで、書類や写真を１個の道具で３種類を同時に展示することができる、また展示物を取り除くときは道具は固定したままで引き抜けばよい。
【発明を実施するための最良の形態】
【０００６】  以下、本発明の実施の形態について説明する。
（イ）３方向に張り出しのある、弾力性をもった薄板の中央に磁石に合わせた穴をあけて磁石に固定する
（ロ）磁石に固定された薄板をボードに圧着する。
（ハ）展示書類をそれぞれの方向から薄板の張り出し部分に差し込み薄板の弾力でボードに圧着する。
本発明は以上の構成でこれを使用するときは３種類の書類や写真が１個の道具で同時に展示でき色々なレイアウトがたのしめる。
薄板にかえて針金状のものを使用しても良い、そうすれば展示物の書類や写真等のほとんどが隠れることなく展示できる。
【図面の簡単な説明】
【０００７】
【図１】本発明の平面図
【図２】本発明の一部を切り欠いた側面図
【符号の説明】
【０００８】    １  磁石
２  磁石カバー
３  薄板
【図１】
2007076350.tif 000003
【図２】
2007076350.tif 000004
(57)【要約】【課題】画びょうは、壁から床に落とした場合、落下地点より意外な所まで飛び、発見が困難で、また、危険な為に放置できず、探すのに必要以上に時間を要する場合が多かった。【解決手段】胴体１の、半円球の中に設けた穴の突起２に、リボン４を付ける。また、画びょうを一回り大きくして、先端の針を１本でなく複数本にして保持力の強化をする。【選択図】図１
2007076352.tif 000002
【特許請求の範囲】
【請求項１】
胴体にリボン等を設けた事を特徴とする、リボン付き画びょう。
【請求項２】
前記リボンは、胴体の頭部に半円球状の穴のあいた突起物を設け、その箇所にリボン等を結ぶのと、先端の針も１本ではなく、複数本設ける事で、脱落しにくくするとともに、大型サイズのカレンダー等にも使用できる事を特徴とする、請求項１に記載のリボン付き画びょう。
【発明の詳細な説明】
【技術分野】
【０００１】  この発明は、画びょうに用いる形状に関する。
【背景技術】
【０００２】  従来の画びょうの形状は、図２に示すように画びょうの胴体には何も設けられていない。
【発明の開示】
【発明が解決しようとする課題】
【０００３】  しかしながら、以上の技術によれば、画びょうは勉強部屋、居間、寝室にも多く使われ、床に落とした場合、落下地点より意外な所にまで飛んで行く事が多く、発見が困難であり、敷物と画びょうが同色に近い場合、探すのに時間を要した。また、足で踏む等のケガにも繋がる心配もあった。そこでこの発明は、子供でも探しやすい、リボン付き画びょうを提供する事を課題とする。【０００４】  以上の課題を解決する為に、第一発明は、胴体にリボンを設ける事を特徴とする、リボン付き画びょうである。また、第二発明は、画びょう先端の針を１本でなく、複数本設ける事で壁等に確実に、定着するとともに、大きいカレンダーのように、少し重量のある物でも、保持する事を特徴とするリボン付き画びょうである。
【発明の効果】
【０００５】  第一発明、または第二発明によれば、画びょうにリボンを付けたので、どのように脱落しようとも発見しやすく、また、針が複数本の為脱落が少なくなった。
【発明を実施する為の最良の形態】
【０００６】  この発明の一実施形態を、図１に示す。
画びょう本体１の頭部に、半円球状の突起２を設け、その突起物の円の中に穴をあけて、そこへ、子供の好奇心を誘うような、樹脂で形成した動物及び魚貝類等の画で作ったリボンを取り付ける。また、一回り大きくした画びょうにして、先端の針も複数本設ける事で、大型の紙面や重量の物でも保持できる事と、低学年の子供にでも取り扱いやすくする。
【実施形態の効果】
【０００７】  この実施形態によれば、球状の突起にリボンを取り付ける事で、低学年の子供にでも、取り扱いやすいので安心でき、また、落下しても画びょうを早く確実に拾得できる。
【他の実施形態】
【０００８】  図１の実施形態では、半円球の穴にリボンを取り付けるが、本体の胴体に取り付けてもよい。また、用途に応じて画びょうを一回り大きなサイズにしても良い。
【図面の簡単な説明】
【０００９】
【図１】この発明の一実施形態を示す平面図である。
【図２】従来技術を示す平面図である。１、本体  ２、突起  ３、針  ４、リボン
【図１】
2007076352.tif 000003
【図２】
2007076352.tif 000004
(57)【要約】【課題】現行のペンスタンドは、相変わらず一括収納式が主流である。このタイプは他の文具類の収納にも利用され、単なる物入れになってしまうケースが多く、少なくともペンの自由な出し入れには程遠い。対策として、容器に仕切板を入れた商品もあるが、実効につながらないままに推移している。本発明は、この課題の抜本的解決のためになされたものである。【手段】基盤に形成した容器の周辺に、必要数のコイルばねを立ち上げてペンホルダーを構成し、ペンを個別に収納ができるようにした。使用者はホルダーを利用することにより必要なペンの出し入れがスムーズにできる。ちなみに本発明でペンというのは、職場と家庭を問わず、最も使用頻度の高いボールペンを想定した。尚、容器には、マーカーペンや筆ぺん等太軸の筆記具、その他の文具の収納に便利である。【選択図】図１
2007076353.tif 000002
【特許請求の範囲】
【請求項１】
基盤上に形成した容器の周辺に、所要の内経を有するコイルばねを立ち上げて複数のペンホルダーを構成し、個別収納ができるようにしたペンスタンド。
【請求項２】
ペンホルダーを管体によって構成した請求項１のペンスタンド。
【発明の詳細な説明】
【技術分野】
【０００１】  本発明は、現行のペンスタンドに於いて発生する収納の不備を解消し、使いやすく管理もしやすい収納手段の提供を目的としたペンスタンドに関する。
【背景技術】
【０００２】  現行のペンスタンドは、依然として一括収納型のものが主流である。相変わらずというか、変えようもなかったように思われる。
【発明の開示】
【発明が解決しようとする課題】
【０００３】  このタイプは、長年にわたり使用されて来た商品であるが、他の文具類の収納にも利用され、単なる物入れになるケースが多い。少なくともペンの自由な出し入れには程遠いのが実情である。対策として、容器に仕切板を装着したもの、高さの異なる角柱型容器を３点セットにしたもの等を売り出し、一括収納の緩和を目指したが、実効につながらないままに推移している。本発明は、この課題の抜本的解決のめになされたものである。
【課題を解決するための手段】
【０００４】  本発明は、所要の厚みを有する基盤に容器を形成し、周辺に必要数のコイルばねを立ち上げて、個別のペンホルダーを構成することにより、課題の解決を図った。
【発明の効果】
【０００５】  使い馴れたペンや好みのペンは、ホルダーを特定することによって、出し入れがスムーズにでき、管理もしやすい。尚、本体の容器の使い方は自由であるが、マーカーペンや筆ぺん等の太軸の筆記具、その他文具類の収納に便利である。
【発明を実施するための最良の形態】
【０００６】  以下、本発明の実施の形態を説明する。
（イ）所要の厚みを有する円形の基盤（１）に、円筒状の容器（２）と、一定の幅を有する周縁部（３）を形成する。
（ロ）周縁部を８等分した７個所に取付孔を設け、それぞれに所要の内経を有する柔軟なコイルばねを装着して、ペンホルダー（４）を構成する。
（ハ）あとの１個所は、容器の取っ手（５）の位置と重なるということもあるが、容器への出し入れをしやすくする必要からペンホルダーの設置を控えた。
（ニ）コイルばねの装着は、基盤に直付けすることも可能なので、必ずしも取付孔を必要としない。その分、基盤の厚みは縮小できる。
（ホ）ばねの代替品として、管体のもの、例えば合成樹脂のパイプ等いろいろ考えられるが、コイルばねには形状的にも機能的にもひと味違うものがあり、このような場面には最もマッチした素材である。
（ヘ）本発明に於いて「ペン」と言うのは、筆記具のなかで、学校、職場、家庭を問わず最も使用頻度が高く個人の所有量も多いボールペンを想定したものである。従ってペンホルダーの内経もこれに準拠して設定した。
本発明は、以上の構成からなる。
使用方法については説明するまでもないが、若干取扱い上の注意点を挙げると、ペンホルダーへの収納は、必ずペンの先を上にして軸を落とし込むように入れること。尚、サイズオーバーによるばねの反発があった場合、収納は容器のほうに変更すること等である。
ボールペンとひと口に言っても、細字、中細、太字用があり、インクの色や水性油性の区別、デザインに至るまでその多種多様ぶりには驚かされる。一方、ペンスタンドは筆記具の収納具であり整理用品でもあった筈が、ボールペンの大きな流れの前にはなす術もなく、机上の調度品としてならまだしも、多くは放置状態にある。
ペンスタンドの再生は、ボールペンの適切な処理にあるとの発想から、コイルばねを用いたホルダーによる個別収納方式を構築した。実施例のホルダー７本というのは、これくらいで対応できるのでは、という推定に基づく。本数はともかく、所期の目的の整理効果はかなり期待できるものと思われる。何よりも使用者にとって、ペンの出し入れがスムーズ且つ的確にできることは大きな収穫であろう。また、ペン探しのちょっとしたイライラから開放され机上の環境も整うので、気もちよく仕事ができる。
【図面の簡単な説明】
【０００７】
【図１】  本発明の正面図
【図２】  本発明の平面図
【符号の説明】
【０００８】  （１）基盤、（２）容器、（３）周縁部、（４）ペンホルダー、（５）取っ手。
【図１】
2007076353.tif 000003
【図２】
2007076353.tif 000004
(57)【要約】  【課題】道路工事で排水性舗装を3,4年で1回程度の間隔で施工している現場が多く、その度に交通規制をおこなっている。それは排水性舗装対応の導水が効率よく行われていなく無駄が多いためである。そのため工事費も無駄につかわれている。それを解消するには、導水路を土砂やごみで導水不可になるのを防ぎ、維持管理期間を延ばすことで交通規制の回数を最小限におさえることができる工法、その導水のための側溝を提供する。  【解決手段】コンクリート製の側溝本体の天端部に導水路を設け、道路工事における排水性の舗装材を敷設して導水路（図1,4）の空間を保つために導水板（図1,3）を設けた。  【選択図】  図1
2007120014.tif 000002
【特許請求の範囲】
【請求項１】
コンクリートで形成された側溝本体の天端部に半円の導水路を設け、導水路（図1,4）の上部に導水板（図1,3）をセットすることで、道路工事における排水性の舗装材（図3,7）を導水板（図1,3）上部の全面に敷設できることで導水路（図1,4）の空間が保たれる事を特徴とする導水側溝。
【請求項２】
排水性舗装から染み込んで流れ出てくる雨水を側溝本体の天端部から導水路（図1,4）に導くために、切りかけ（図1,5）を設けることを特徴とする導水側溝。
【発明の詳細な説明】
【技術分野】
【０００１】
本発明は、道路に連続して敷設される側溝の技術分野に属し、道路工事における排水性舗装から流れ出てくる雨水を迅速に導水し、路側をバイクや軽車両が安全に通行できる側溝に関するものである。
【背景技術】
【０００２】
導水目的で材質や形状を変えることによりいくつか出願がある。この例として特許文献
1や2に開示されているものがある。
【特許文献１】特開平１１−２４８０５４号公報
【特許文献２】特開平１１−２４７２８０号公報
【発明の開示】
【発明が解決しようとする課題】
【０００３】
しかし、いずれの側溝も一時的の導水機能のみの目的にとらわれ、あとあとの維持管理にかかる費用については考えられてはいない。
【０００４】
たとえば、特開平１１−２４７２８０号公報に記載されている導水管は、境界ブロックの側にセットされ排水性舗装で導水管を覆う工法であり、埋設後は路側すれすれまで排水舗装がなされるので、路側を走るバイクや軽車両にとっても安全である。
【０００５】
しかし、埋設される導水管は直径がΦ20からΦ25のため、2,3年で導水管自体が目詰まりを起こし、導水管としての機能を失い導水管自体の取替えをしなくてはならない。
【０００６】
特開平１１−２４７２８０号公報は鉄製の受け枠とグレーチングで構成されており、上部のグレーチングの開口部より雨水を迅速に飲み込み、排水性舗装から染み込んだ雨水を受け枠の側面より飲み込み、受け枠内を導水路として利用することを特徴としてある。
【０００７】
しかし、この文献は、上部のグレーチングの開口部より雨水を迅速に飲み込むため、土砂やごみ等なども飲み込み、受け枠内が2,3年も経たずに導水路としての機能を果たさなくなるのである。
【０００８】
そこで、本発明においては、導水路が2,3年で目詰まりを起こすことを防止し、長期的に導水路の機能を確保することを目的としてある。
【課題を解決するための手段】
【０００９】
このため、本発明においては、コンクリートで形成された側溝本体の天端部に半円の導水路を設け、導水路（図1,4）の上部に導水板（図1,3）をセットすることで、道路工事における排水性の舗装材（図3,7）を導水板（図1,3）の全面に敷設できることで導水路（図1,4）の空間が保たれる。
【００１０】
また、排水性の舗装材（図3,7）内に染み込んだ雨水は（図3,5）を通り、導水路（図3,4）内へ導かれるのである。
【００１１】
そのため、排水性の舗装材（図3,7）に染み込んだ雨水は迅速に導水路内に導かれ、しかも土砂やごみ等に水路内を詰まらされることなく水路としての機能を長期間保たれるのである。
【００１２】
導水路（図1,4）の上部にセットする導水板（図2,3）はセットする際、（図3）のX方向にずれないように突起物（図2,6）を設けてある。
【発明の効果】
【００１３】
以上、説明したように本発明においては、導水路の目詰まりの防止をすることにより、いままで2,3年で目詰まりを起こしていた導水管の取替えに掛かる維持管理費用を削減することができる。
【発明を実施するための最良の形態】
【００１４】
以下に図面を参照して本発明をさらに説明する。（図3）に本発明の使用断面図が示してある。これは道路の路側に設置してある歩車道境界ブロック（図3,2）に隣接して車道側（排水性の舗装材）に本製品（図3,1）は設置される。（図3）のように設置すると排水性の舗装材（図3,7）から染み込んでくる雨水は切りかけ部（図3,7）を通り導水路（図3,4）に導かれる。
【００１５】
又、数年が経って排水性の舗装材（図3,7）自体が粉塵等で目詰まりを起こした際、その排水性の舗装材をはがしてやりかえる場合でも本製品は再利用できるため工事費が最小の金額で行える。
【００１６】
図4は本製品と境界ブロックが一体となっている製品です。境界ブロックも破損している際は一緒に取替えできます。
【００１７】
図5は（図1,3）に示す導水板に排水能力を高めるために排水口を設けたものであり、口の形状は、円のほかに楕円や長方形、正方形など形状はいろいろ考えられる。
【００１８】
図6は（図1,5）に示す切りかけ部を大きく切りかけ、排水能力を高めるためのものである。
【００１９】
図7は図3の導水路の形状をかえたものである。
【００２０】
図8は図3の導水路の形状をかえたものである。
【産業上の利用可能性】
【００２１】
本発明に係る側溝は、工業的に量産することが可能なため、産業上の利用可能性を有する。
【図面の簡単な説明】
【００２２】
【図１】本発明の斜視図である。
【図２】図1の3に示す蓋を底面から示す図である。
【図３】図1に示す側溝を施工した状態を示す断面図である。
【図４】図1に示す側溝と歩車道境界ブロックが一体となっている斜視図である。
【図５】図1に示す導水板に集水能力を高めるために排水口を増やした斜視図である。
【図６】図1に示す切りかけ部に集水能力を高めるために切りかけ部を大きくした斜視図である。
【図７】（図3,4）の導水路の形状を半円から、鋭角にかえた断面図である。
【図８】図7に示す導水路の形状を四角にかえた断面図である。
【符号の説明】
【００２３】
１  側溝本体
２  歩車道境界ブロック
３  導水板
４  導水路
５  切りかけ部
６  ストッパー部
７  排水性の舗装材
８  敷きモルタル
９  砕石
１０  排水口
１１  切りかけ部大
【図１】
2007120014.tif 000003
【図２】
2007120014.tif 000004
【図３】
2007120014.tif 000005
【図４】
2007120014.tif 000006
【図５】
2007120014.tif 000007
【図６】
2007120014.tif 000008
【図７】
2007120014.tif 000009
【図８】
2007120014.tif 000010
(57)【要約】      （修正有）【課題】既在の実用風車は構造の複雑さ、高価な材料等により高コストなものであり、強風時には保守が困難となる。以上のような欠点を解消し、構造が簡単で、低コスト且つ強風時、運般時において、折りたたみの容易な実用風車を提供する。【解決手段】本発明は安価な材料で容易に製作ができ、風力エネルギーを翼面積の大きな６枚又は３枚の羽根により低回転、高トルクの回転力として取り出すことが、できる。強風時、運般時にはピン１本を外せば折りたたむことができ、分解・収納ができる画期的な実用風車である。【選択図】図１
2007120485.tif 000002
【特許請求の範囲】
【請求項１】
同サイズのパイプ又は棒等（以下省略し、パイプとする）３本の端どうしをピンで連結し、正三角形状に形成させ中心に、棒状の回転軸を置いて軸の両端から、正三角形状の３頂点部へ、それぞれ同じ長さのロープ又はケーブル等（以下、省略し、ロープとする）で固定し、パイプとロープとの間に６枚又は３枚のテント状の羽根を交互に設置した構成を有する水平軸型風車。
【発明の詳細な説明】
【技術分野】
【０００１】本発明は風力エネルギーを回転力として、取り出すための実用風車に関するものである。
【背景技術】
【０００２】
【非特許文献１】松本文雄著、「風・風車のＱ＆Ａ１２０」日本国パワー社  ２００２年６月２５日発行、第３章、６０・６１Ｐ
【発明の開示】
【発明が解決しようとする課題】
【０００３】従来の実用風車の問題点
（イ）羽根の形状の設計、製作が複雑で難しい。
（ロ）回転時において羽根の取付部に大きな応力が、かかりそれに抗するために頑丈な材料に、しなくてはならない。
（ハ）高効率化を、はかるため羽根の枚類を増やすことは構造を複雑にし、高コストである。
（ニ）強風時において保守が困難である。
（ホ）分解、収納が困難である。
【課題を解決するための手段】
【０００４】同サイズのパイプ又は棒等（以下省略し、パイプとする）のもの３本で、正三角形状に形成させ、端どうしをピンで連結する。棒状の回転軸を正三角状の中心に置き、軸の両端と正三角形状の３頂点部を、それぞれ同じ長さのロープ又はケーブル等（以下省略し、ロープとする）で結ぶことで回転軸を三角形部中心に固定する。パイプとロープとの間に６枚のテント状の羽根を交互に設置する。
【発明の効果】
【０００５】安価な材料で低コストに製作ができ６枚の大きな羽根により風力エネルギーを低回転・高トルクの回転力として取り出すことができる。
強風時、運般時ピン１本を外せば折りたたむ事ができ、分解・収納が容易である。
【発明を実施するための最良の形態】
【０００６】以下、本発明の実施の形態の手順について説明する。
（イ）パイプ又は棒状のもの（１）を、３本で正三角形状を形づくり、端どうしをピン（６）で連結する。
（ロ）回転軸（２）を正三角形状の中心に設ける。
（ハ）回転軸（２）の端部から、それぞれ同サイズのバネ（５）、ロープ又はケーブル（３）で正三角形状の頂点部を介して、回転軸（２）のもう一方の端部へつなぐ作業を、３箇所分行ない回転軸（２）を正三角形の中心へ固定させる。
（ニ）パイプ（１）片半分とロープ（３）との間により、できた三角形状の輪郭部に羽根（４）を交互に６枚設置する。【０００７】羽根の材料は防水加工を施した布地又はビニルシート等を使用する。【０００８】本発明は風上に回転軸を向けることにより、６枚の羽根が風力エネルギーを受けパイプ（１）、ロープ（３）およびバネ（５）を介して回転軸（２）を駆動させる。【０００９】図４に示すように風力の程度や状況に応じて、３枚羽根で装着しても良い。
【図面の簡単な説明】
【００１０】
【図１】本発明の斜視図
【図２】本発明の平面図
【図３】本発明の側面図
【図４】図１におけるＡの部分の拡大図
【図５】図１におけるＢの部分の拡大図
【図６】図１におけるＣの部分の拡大図
【図７】図６におけるＸ側から見た図
【図８】図１におけるＤの部分の拡大図
【図９】本発明の折りたたみ時を示す手順１の斜視図
【図１０】本発明の折りたたみ時を示す手順２の斜視図
【図１１】本発明の折りたたみ完了を示す手順３の斜視図
【図１２】本発明の３枚羽根仕様を示す斜視図
【符号の説明】
【００１１】１  パイプ又は棒
２  回転軸
３  ロープ又はケーブル
４  羽根（６枚の羽根を判別しやすくする為に羽根の外側を斜線、内側を格子状の線とします。）
５  バネ
６  ピン
【図１】
2007120485.tif 000003
【図２】
2007120485.tif 000004
【図３】
2007120485.tif 000005
【図４】
2007120485.tif 000006
【図５】
2007120485.tif 000007
【図６】
2007120485.tif 000008
【図７】
2007120485.tif 000009
【図８】
2007120485.tif 000010
【図９】
2007120485.tif 000011
【図１０】
2007120485.tif 000012
【図１１】
2007120485.tif 000013
【図１２】
2007120485.tif 000014